(57)【要約】  単一使い捨て吸収性物品は、衣類面及び身体面を有する吸収性コア、前記吸収性コアの前記身体面に隣接して配置された透液性トップシートと、前記吸収性コアの前記衣類面に隣接して配置された不透液性バックシートと、弾性的収縮性二重カフを具備する。二重カフは近位端及び遠位端を有する。二重カフは中間結合により物品に接合される。二重カフは第１カフ及び第２カフを有する。第１カフは近位端と中間結合との間に配置される。第２カフは中間結合と遠位端との間に配置される。二重カフが連続的なカフ材料から構成され、カフ末端部結合により密閉される。第２カフはバックシートから離れて間隔を置いて配置される。バックシートは遠位端の中心から外れて延在する。
2007532254.tif 000002
【特許請求の範囲】
【請求項１】
単一使い捨て吸収性物品であって、
衣類面と身体面とを有する吸収性コアと、
前記吸収性コアの前記身体面に隣接して配置される液体浸透性トップシートと、
前記吸収性コアの前記衣類面に隣接して配置される液体不浸透性バックシートと、
近位端と遠位端とを有する弾性的収縮性二重カフであって、中間結合により当該物品に接合されると共に第１カフと第２カフとを有し、前記第１カフが前記近位端と前記中間結合との間に配置され、前記第２カフが前記中間結合と前記遠位端との間に配置されている、連続的なカフ材料から構成されカフ末端部結合で密閉される二重カフと、
を備え、
前記第２カフが前記バックシートから離れて間隔を置いて配置され、前記第１及び第２カフがバリアカフであることを特徴とする単一使い捨て吸収性物品。
【請求項２】
前記バックシートが前記遠位端の外側に延在する、請求項１に記載の吸収性物品。
【請求項３】
前記第１カフが少なくとも一つの弾性部材をおおう、請求項１に記載の吸収性物品。
【請求項４】
弾性取付要素で前記弾性部材を固定することにより、前記弾性部材が前記第１カフと機能的に関連づけられている、請求項３に記載の吸収性物品。
【請求項５】
前記第２カフが少なくとも一つの弾性部材をおおう、請求項１に記載の吸収性物品。
【請求項６】
弾性取付要素で前記弾性部材を固定することにより、前記弾性部材が前記第２カフと機能的に関連づけられている、請求項５に記載の吸収性物品。
【請求項７】
前記物品が使い捨ておむつである、請求項１に記載の吸収性物品。
【請求項８】
前記使い捨ておむつが予め固定されたおむつである、請求項７に記載の吸収性物品。
【請求項９】
前記二重カフが単結合により前記物品に結合される、請求項１に記載の吸収性物品。
【請求項１０】
前記単結合が前記中間結合である、請求項９に記載の吸収性物品。
【発明の詳細な説明】
【技術分野】
【０００１】
この発明は吸収性物品の二重カフに関し、特におむつなど使い捨て吸収性物品の第１及び第２カフを有する二重カフに関する。
【背景技術】
【０００２】
使い捨ておむつ及び成人失禁ブリーフなどの吸収性物品のおもな機能は、体排出物の吸収と収容である。従って、そのような物品は、体排出物が、着用者と接触する寝具などの抄紙用具又は他の物品をよごし、濡らし、ないしは別の方法で汚染するのを防止するよう意図されている。そのような製品について、障害の一つのよくあるモードは、体排出物が物品と着用者の足の間のすき間から近傍の抄紙用具へ漏れ出る場合におこる、というのは体排出物はすぐには物品の中に吸収されないからである。例えば、尿はトップシートを通って吸収性物品の縁に吸い上げられている傾向があり、そこで抄紙用具又は他の物品と接触することがありうる。さらに、吸収性物品により容易に吸収されないゆるい糞便物は、液受容表面上に「浮き」、着用者の足を通ってその方向に動く傾向がある。
【０００３】
当今の吸収性物品は、トップシート、バックシート、吸収性コア、バリアカフ、及びガスケッティングカフを有する。ガスケッティングカフは、物品の縁と接触した抄紙用具との間に流体が不透過のバリアを提供し、更に着用者の足の周囲にガスケッティング作用を付与するという点で、一般に吸上並びに流体を積載した物品から物品の縁に接触した抄紙用具への流出の防止に有効であることが証明されている。バリアカフは、一般にゆるい糞便物或いは尿又は液体の噴出が着用者の抄紙用具をよごすのを防止するのに有効であることが証明されている。バリアカフは、この物質の自由な流れを拘束し、そのような物質を物品の中に保持するための構造物を提供する。
【０００４】
消費者（着用者及び／又は介護人）は、カフが物品の全体的な効果に対して重要な要素であることを認識するようになった。そういうものとして、消費者は追加のカフを有する物品をより信用することになるであろう。しかし、カフは封入性が必須であるが、消費者は快適さとカフの弾性部材の余りの引っ張りによる赤い跡を最小限度にすることを気遣っている。
【発明の開示】
【発明が解決しようとする課題】
【０００５】
従って、要望されているのは、カフ領域の効果と快適さの両方を伝える吸収性物品である。
【課題を解決するための手段】
【０００６】
単一使い捨て吸収性物品は、衣類面及び身体面を有する吸収性コアと、前記吸収性コアの前記身体面に隣接して配置された透液性トップシートと、前記吸収性コアの前記衣類面に隣接して配置された不透液性バックシートと、弾性的収縮性二重カフを具備する。
【０００７】
二重カフは近位端及び遠位端を有する。二重カフは中間結合により物品に接合される。二重カフは第１カフ及び第２カフを有する。第１カフは近位端と中間結合との間に配置される。第２カフは中間結合と遠位端との間に配置される。二重カフが連続的なカフ材料から構成され、カフ末端部結合により密閉される。第２カフはバックシートから離れて間隔を置いて配置される。バックシートは遠位端の中心から外れて延在してよい。
【０００８】
第１カフは、弾性取付け要素で弾性部材を固定することにより機能的に第１カフと関連づけられている少なくとも一つの弾性部材をおおう。弾性部材はその末端部近傍で又は全長に沿って第１カフに固定される。
【０００９】
第２カフは、弾性取付け要素で弾性部材を固定することにより機能的に第２カフと関連づけられている少なくとも一つの弾性部材をおおう。弾性部材はその末端部近傍で又は全長に沿って第２カフに固定される。
【００１０】
吸収性物品は使い捨ておむつであってよい。吸収性物品は予め固定されたおむつであってよい。
【発明を実施するための最良の形態】
【００１１】
本明細書は、本発明を特に指摘し且つ明白に請求する特許請求の範囲で終わっているが、本発明は、成分が同じ参照番号を与えられている添付の明細書と併せて、以下の図面によって更に良く理解できる。
【００１２】
本明細書で使用する次の用語は、次の意味を有する。
【００１３】
「吸収性物品」とは、液体を吸収及び収容する装置を指し、より具体的には、着用者の身体に対して又はそれに近接して配置されて、身体から排泄された様々な排出物を吸収及び収容する装置を指す。
【００１４】
「長手方向」は、物品の最大の直線寸法に平行に走る方向であり、長手方向±４５°内の方向を含む。
【００１５】
「水平」又は「横」方向は、長手方向に直交する。 
「Ｚ方向」は、長手方向と横断方向の双方向に直交する。
【００１６】
「Ｘ−Ｙ平面」は、長手方向及び横方向に相合する平面を指す。
【００１７】
用語「使い捨て」は、本明細書では、洗濯する、或いは吸収性物品として復元するか再利用されることを一般に意図しない（すなわち、一回の使用後に廃棄する、好ましくはリサイクルする、堆肥化する、或いは環境に適合する方法で処理することを意図する）吸収性物品を説明するために使用する。
【００１８】
本明細書で使用する時、用語「配置される」は、ある要素が特定の場所又は位置で他の要素と共に単一構造体として、又は他の要素に接合された別個の要素として形成（接合及び配置）されることを意味するために使用する。
【００１９】
用語「接合される」は、本発明で使用する時、ある要素が他の要素に直接取り付けられていることにより他の要素に直接固定される構成と、ある要素が中間部材に取り付けられ、その中間部材が他の要素に取り付けられていることにより他の要素に間接的に固定される構成とを包含する。
【００２０】
本明細書で使用する時、用語「離れて間隔を置いて配置される」は構成を取り囲み、それによって、要素は直接に別の要素に固定されない。
【００２１】
「単一」吸収性物品は、結合した別個の部分から形成され、調和した統一体を形成しているので、別個のホルダー及びライナーのような別個の操作部分を必要としない吸収性物品を指す。
【００２２】
本明細書で使用するとき、用語「おむつ」とは、一般に乳幼児及び失禁者が胴体下部の周囲に着用する吸収性物品を指す。
【００２３】
用語「透水性」及び「非透水性」は、使い捨て吸収性物品の意図される用途に関する材料の浸透性を指す。特に、用語「透水性」は、押しつける圧力がないときに液状の水がその厚さを通過するのを可能にする孔、開口部、及び／又は結合された空隙を有する層又は層状構造体を指す。逆に、用語「非透水性」は、押しつける圧力がないときに液状の水がその厚さを通過できない層又は層状構造体を指す。この定義により非透水性である層又は層状構造体は、水蒸気に対して透過性であってもよい、すなわち、「蒸気透過性」であってもよい。当該技術分野において周知であるように、吸収性物品において典型的に使用される材料の、水への透過性を測定するための一般的な方法は、静水圧試験であり、静水頭試験又は単に「水頭試験」とも呼ばれる。水頭試験に適した周知の簡潔な方法は、ＩＮＤＡ（元国際不織布・使い捨て用品協会（International Nonwovens and Disposables Association））、（現在の不織布工業協会（Association of the Nonwoven Fabrics Industry））及びＥＤＡＮＡ（欧州使い捨て用品・不織布協会（European Disposables And Nonwovens Association））によって承認されている。
【００２４】
用語「近位」及び「遠位」は、各々、構造の中央に近い要素又は遠い要素の位置を指し、例えば、長手方向に延在する要素の近位縁は、同じ要素の遠位縁が、同じ長手方向軸線に関して位置するよりも長手方向軸線の近くに位置する。
【００２５】
本明細書で使用する時、用語「バリアカフ」は伸縮性フラップを指し、股部区域内で実質的に直立して立ち、より好ましくは長手方向中心線に対して内側へ立つ。典型的に、前記バリアカフは、主におむつに反対側末端部で接続（例えば、よりよくフィットするための引きひも技術）される少なくとも一つの弾性部材をおおい／収容する。
【００２６】
本明細書で使用する時、用語「ガスケッティングカフ」は伸縮性フラップを指し、股部区域内で実質的に直立して立たず、より好ましくはおむつの長手方向側縁に対して外側へ立たない。典型的に、前記ガスケッティングカフは、実質的にその全長の至るところでおむつに接続（例えば、ひだを作るための弾性部材の全長に沿った多数の結合）される少なくとも一つの弾性部材をおおい／収容する。
【００２７】
図１は、おむつ２０の下層構造をより明瞭に示すために表面を一部切りとった構造体の部分と観察者の方に向いた着用者に接触するおむつ２０の部分を備え、その完全に引き伸ばされた状態（即ち、弾性部材により生じる収縮のない）の本発明のおむつ２０の代表的な、非限定の実施形態の平面図である。おむつ２０は、長手方向の軸線１０００及び横断方向の軸線１１００を備える。おむつ２０の一方の末端部分３６は、おむつ２０の第一の腰部区域３６として構成される。反対の末端部分３８は、おむつ２０の第二の腰部区域３８として構成される。おむつ２０の中間部分３７は、股部区域３７として構成され、第一腰部区域３６及び第二腰部区域３８の間に長手方向に延在する。腰部区域３６及び３８は、一般に、着用した時に着用者の腰部を取り巻くおむつ２０の部分を備える。腰部区域３６及び３８は弾性要素を含み、着用者の腰部の周囲で縮んで、改善された適合性と封入性を提供してもよい。股部区域３７は、おむつ２０を着用した時に、一般に、着用者の脚の間に位置するおむつ２０の部分である。おむつ２０の外周辺部は、第一及び第二腰部区域３６及び３８に沿って配置される長手方向縁部１４及び終縁部１０及び１２によりそれぞれ画定される。
【００２８】
おむつ２０のシャーシ２２は、おむつ２０の本体を含む。シャーシ２２は、透液性トップシート２４及び／又は不透液性バックシート２６（図２参照）を備える外部覆い並びにトップシート２４とバックシート２６との間に入った吸収性コア２８の少なくとも一部を含む。単一吸収性物品では、シャーシ２２は、複合おむつ構造体を形成するために付加された他の機構を有するおむつの主要構造体を含む。トップシート２４、バックシート２６、及び吸収性コア２８は種々の周知の構成で組み立てられてよいが、好ましいおむつの構成は一般に１９７５年１月１４日にケネス  Ｂ．ブエル（Kenneth B. Buell）に対して発行された「使い捨ておむつ用収縮性サイド部分（Contractible Side Portions for Disposable Diaper）」という名称の米国特許第３，８６０，００３号、１９９２年９月９日にブエル（Buell）に対して発行された米国特許第５，１５１，０９２号、１９９３年６月２２日にブエル（Buell）に対して発行された米国特許第５，２２１，２７４号、１９９６年９月１０日にロー（Roe）らに対して発行された「多数ゾーンの構造的に弾性様のフィルムウェブの延伸性があるウエスト機構を有する吸収性物品（Absorbent Article With Multiple Zone Structural Elastic-Like Film Web Extensible Waist Feature）」という名称の米国特許第５，５５４，１４５号、１９９６年１０月２９日にブエル（Buell）らに対して発行された「使い捨てプルオン・パンツ（Disposable Pull-On Pant）」という名称の米国特許第５，５６９，２３４号、１９９６年１２月３日にニーセ（Nease）らに対して発行された「吸収性物品用サイドパネルを製造するゼロスクラップ法（Zero Scrap Method For Manufacturing Side Panels For Absorbent Articles）」という名称の米国特許第５，５８０，４１１号、及び１９９９年１２月２１日にロブレス（Robles）らに対して発行された「多方向の延伸性があるサイドパネルを有する吸収性物品（Absorbent Article With Multi
-Directional Extensible Side Panels）」という名称の米国特許第６，００４，３０６号に記載され、そのそれぞれを参考として本明細書に組み入れる。
【００２９】
トップシート２４は、全体的に又は部分的に伸縮されてもよく、又は収縮させてトップシート２４とコア２８との間に空隙空間を形成してもよい。伸縮又は収縮したトップシートを含む代表的な構造は、１９９０年１月９日にデマレーズ（Des Marais）らに対して発行された「弾性ストランドを有する吸収性物品（Absorbent Article Having Elastic Strands）」という名称の米国特許第４，８９２，５３６号、１９９１年２月５日にフリーランド（Freeland）に対して発行された「排出物隔離のための弾性部材ライナーを備える吸収性物品（Absorbent Article With Elastic Liner For Waste Material Isolation）」という名称の米国特許第４，９９０，１４７号、１９９１年８月６日にアレン（Allen）らに対して発行された「弾性的延伸性トップシートを具備する使い捨て吸収性物品（Disposable Absorbent Article Having Elastically Extensible Topsheet）」という名称の米国特許第５，０３７，４１６号、及び１９９３年１２月１４日にフリーランド（Freeland）らに対して発行された「使い捨て吸収性物品用の三分割トップシート及びその三分割トップシートを有する使い捨て吸収性物品（Trisection Topsheets For Disposable Absorbent Articles and Disposable Absorbent Articles Having Such Trisection Topsheets）」という名称の米国特許第５，２６９，７７５号にさらに詳細に記載され、そのそれぞれを参考として本明細書に組み入れる。
【００３０】
吸収性コア２８は、概ね圧縮性であって、体型に合いやすく、着用者の皮膚に対して非刺激性であり、及び尿及び他の一定の身体排泄物などの液体を吸収して保持できる、いかなる吸収性材料も含んでもよい。吸収性コア２８は、エアフェルトと一般に呼ばれる粉砕木材パルプのような、使い捨ておむつ及び他の吸収性物品に普通に使用される、多種多様な液体吸収性材料を含むことができる。他の好適な吸収性材料の例としては、捲縮セルロース詰め物、コフォーム（co-form）を含むメルトブローポリマー、化学的に剛化、改質、若しくは架橋されたセルロース繊維、ティッシュラップとティッシュラミネートとを含むティッシュ、吸収性発泡体、吸収性スポンジ、超吸収性ポリマー、吸収性ゲル材料、又は他のいかなる既知の吸収材料、又はこれらの材料の組み合わせなども挙げられている。
【００３１】
吸収性組立品として使用される代表的な吸収性構造体が、１９８６年９月９日にウェイスマン（Weisman）らに対して発行された「高密度吸収性構造物（High-Density Absorbent Structures）」という名称の米国特許第４，６１０，６７８号、１９８７年６月１６日にウェイスマン（Weisman）らに対して発行された「二重層コアを有する吸収性物品（Absorbent Articles With Dual-Layered Cores）」という名称の米国特許第４，６７３，４０２号、１９８９年５月３０日にアレメニー（Alemany）らに対して発行された「低密度及び低坪量の獲得帯を有する高密度吸収性部材（High Density Absorbent Members Having Lower Density and Lower Basis Weight Acquisition Zones）」という名称の米国特許第４，８３４，７３５号、１９８９年１２月１９日にアングスタッド（Angstadt）に対して発行された「除塵層を有する吸収性コア（Absorbent Core Having A Dusting Layer）」という名称の米国特許第４，８８８，２３１号、１９９２年８月１１日にヘロン（Herron）らに対して発行された「個別化されたポリカルボン酸架橋木材パルプセルロース繊維を含有する吸収性構造（Absorbent Structure Containing Individualized,Polycarboxylic Acid Crosslinked Wood Pulp Cellulose Fibers）」という名称の米国特許第５，１３７，５３７号、１９９２年９月１５日にヤング（Young）らに対して発行された「失禁管理用高効率吸収性物品（High Efficiency Absorbent Articles For Incontinence Management）」という名称の米国特許第５，１４７，３４５号、１９９４年８月３０日にロー（Roe）に対して発行された「低粘性便物質用の使い捨て吸収性物品（Disposable Absorbent Article For Low-Viscosity Fecal Material）」という名称の米国特許第５，３４２，３３８号、１９９３年１１月９日にデマレーズ（DesMarais）らに対して発行された「水性体液用吸収性発泡材料とそのような材料を含む吸収性物品（Absorbent Foam Materials For Aqueous Body Fluids and Absorbent Articles Containing Such Materials）」という名称の米国特許第５，２６０，３４５号、１９９５年２月７日にダイヤー（Dyer）らに対して発行された「水性体液用湿潤まで薄い吸収性発泡材料及びその材料を製造するプロセス（Thin-Until-Wet Absorbent Foam Materials For Aqueous Body Fluids And Process For Making Same）」という名称の米国特許第５，３８７，２０７号、１９９５年３月１４日にラボン（LaVon）らに対して発行された「発泡性吸収材料からなる水性体液用スリット付き吸収性部材（Slitted Absorbent Members For Aqueous Body Fluids Formed Of Expandable Absorbent Materials）」という名称の米国特許第５，３９７，３１６号、及び１９９７年７月２２日にデマレーズらに対して発行された「非常に高い水対油比を有する高不連続相エマルジョンから製造された水性流体用の吸収性発泡材料（Absorbent Foam Materials For Aqueous Fluids Made From high Internal Phase Emulsions Having Very High Water-To-Oil Ratios）」という名称の米国特許第５，６２５，２２２号に記載されている。これら特許の各々を参考として本明細書に組み込む。
【００３２】
バックシート２６は、一般的に、吸収性コア２８の衣類に面する表面に近隣接して配置されたおむつ２０の部分である。バックシート２６は、吸収され、その中に封じ込められた排泄物が、ベッドシーツ及び下着など、おむつ２０に接触することのある物品を汚すことを阻止する。好ましい実施形態において、バックシート２６は、実質的に液体（例えば、尿）に対して不透過性で、不織布と熱可塑性フィルムなど薄いプラスチックフィルムとの約０．０１２ｍｍ（０．５ミル）〜約０．０５１ｍｍ（２．０ミル）の厚みを有する積層体を含む。好適なバックシートフィルムとしては、インディアナ州テレホート（Terre Haute）のトレデガー・インダストリーズ社（Tredegar Industries Inc.）により製造され、Ｘ１５３０６、Ｘ１０９６２、及びＸ１０９６４の商品名で販売されるものが挙げられている。他の好適なバックシート材料には、おむつ２０から蒸気を逃しながら、さらに排出物がバックシート２６を通過することを防ぐ通気性材料が含まれる。代表的な通気性材料としては、織布ウェブ、不織布ウェブ、フィルムコーティング不織布ウェブなどの複合材料、並びにＥＳＰＯＩＲ  ＮＯの名称で日本の三井東圧株式会社（Mitsui Toatsu Co.）により製造されるような、及びＥＸＸＡＩＲＥの名称でテキサス州ベイシティー（Bay City）のエクソン・ケミカル社（EXXON Chemical Co.）により製造されるようなミクロ孔質フィルムなどの材料を挙げることができる。ポリマーブレンドを含む好適な通気性複合材料が、ハイトレル（ＨＹＴＲＥＬ）ブレンドＰ１８−３０９７の名称でオハイオ州シンシナティ（Cincinnati）のクロペイ社（Clopay Corporation）から入手可能である。そのような通気性複合材料が、Ｅ．Ｉ．デュポン（E. I. DuPont）の名前で１９９５年６月２２日に公開されたＰＣＴ国際公開特許ＷＯ９５／１６，７４６、及びカロ（Curro）の名前で１９９６年１１月６日に申請された同時係属の米国特許出願番号０８／７４４，４８７号においてより詳細に記載されている。不織布ウェブ及び孔あき成形フィルムを含む他の通気性バックシートが、米国特許第５，５７１，０９６号（ドブリン（Dobrin）ら、１９９６年１１月５日発行）に記載されている。代表的な好適なバックシートが、２０００年８月２２日にエルダー（Elder）らに対して発行された「皮膚調湿効果を付与する使い捨て吸収性物品（Disposable absorbent articles providing a skin condition benefit）」という名称の米国特許第６，１０７，５３７号において開示されている。好適なバックシート２６を提供するため、他の好適な材料及び／又は製造技術が使用されてよく、これらには表面処理、特定のフィルムの選定と加工、特定のフィラメントの選定と加工などが含まれるがこれらに限定されない。これらの参考文献の各々を、参照することにより本明細書に参考として組み込む。
【００３３】
又、バックシート２６は、図１で例示されたように、一層を超える層から構成されてよく、バックシート外側層２６（しばしばバックシートと呼ばれる）は柔軟な不織布素材から作られてよく、バックシート内側層２７は実質的に不透過性フィルムから作られてよい。接着剤２９、或いはすべての他の好適な材料又は方法が層２６及び２７同士を接合するために使用されてよい。本明細書では様々なバックシート構成が考えられているが、本発明の精神及び範囲から逸脱することなく様々な他の変更及び修正が可能であることは当業者にとって明らかである。
【００３４】
おむつ２０には締着装置５５も含まれてよい。締着装置５５は、好ましくは、おむつ２０の周辺まわりに横方向の引っ張りを付与し、おむつ２０を着用者に保持するような構成で、第一の腰部区域３６と第二の腰部区域３８を維持する。すべての他の既知の締着手段が一般に受け入れられているが、締着装置５５には、好ましくはテープ状ひもなどの表面締結具、フック及びループ締着コンポーネント、及び／又は両性締着コンポーネントが含まれ。いくつかの代表的な面締着装置が１９７４年１１月１９日にブエル（Buell）に対して発行された「使い捨ておむつ用テープ締着装置（Tape Fastening System for Disposable Diaper）」という名称の米国特許第３，８４８，５９４号、１９８７年５月５日にヒロツ（Hirotsu）らに対して発行された「吸収性物品」という名称の米国特許第Ｂ１  ４，６６２，８７５号、１９８９年７月１１日にスクリプス（Scripps）に対して発行された「改良された締結具を有する使い捨ておむつ（Disposable Diaper Having An Improved Fastening Device）」という名称の米国特許第４，８４６，８１５号、１９９０年１月１６日にネステガード（Nestegard）に対して発行された「改良されたホック締結具部分を有する使い捨ておむつ（Disposable Diaper With Improved Hook Fastener Portion）」という名称の米国特許第４，８９４，０６０号、１９９０年８月７日にバトレル（Battrell）に対して発行された「感圧性接着剤締結具とその製造方法（Pressure-Sensitive Adhesive Fastener And Method of Making Same）」という名称の米国特許第４，９４６，５２７号、１９９２年９月９日にブエル（Buell）に対して発行された以上で参照された米国特許第５，１５１，０９２号、及び１９９３年６月２２日にブエル（Buell）に対して発行された米国特許第５、２２１、２７４号に開示されている。代表的なインターロッキング締着装置がクライン（Kline）らの名前で１９９８年８月８日に申請された「吸収性物品締着具（Absorbent Article Fastenin
g Device）」という名称の同時係属の米国特許出願番号０９／１４３，１８４号に開示されている。締着装置５５は、１９９０年１０月１６日にロバートソン（Robertson）らに対して発行された米国特許第４，９６３，１４０号に開示されたような、廃却処分の形体で物品を保持する手段を提供してもよい。締着装置には、１９８７年１０月１３日にトウサント（Toussant）らに対して発行された「改良されたサイド閉じを有する使い捨ておむつ（Disposable Diaper Having An Improved Side Closure）」という名称の米国特許第４，６９９，６２２号に開示されたような一次及び二次締着装置が備えられてもよく、１９９３年９月７日にウェイル（Weil）らに対して発行された「動的伸縮性腰紐適合性を提供する締着装置を備える吸収性物品（Absorbent Article With Fastening System Providing Dynamic Elasticized Waistband Fit）」という名称の米国特許第５，２４２，４３６号、１９９６年３月１９日にブエル（Buell）らに対して発行された「弾力的曲げヒンジ傾向を有する動的弾性ウエスト機構を備えた吸収性物品（Absorbent Article With Dynamic Elastic Waist Feature Having A Predisposed Resilient Flexural Hinge）」という名称の米国特許第５，４９９，９７８号、１９９６年４月１６日にクリヤー（Clear）らに対して発行された「膨張性タミーパネルを含む動的弾性ウエスト機構を備えた吸収性物品（Absorbent Article With Dynamic Elastic Waist Feature Comprising An Expansive Tummy Panel）」という名称の米国特許第５，５０７，７３６号、及び１９９７年１月７日にブエル（Buell）らに対して発行された「弾力的曲げヒンジ傾向を有する動的弾性ウエスト機構を備えた吸収性物品（Absorbent Article With Dynamic Elastic Waist Feature Having A Predisposed Resilient Fl
exural Hinge）」という名称の米国特許第５，５９１，１５２号で開示されたように重なり合う部分の移動を減少させ、又は適合性を改良する。これら特許のそれぞれ及び同時係属の出願を参考として本明細書に組み入れる。
【００３５】
別の実施形態では、物品の対向する側面を縫い合わせるか、又は溶着させて、パンツを形成してもよい。これにより、この物品が、トレーニングパンツなどのプルオン型おむつとして使用可能になる。本明細書で使用する時、用語「トレーニングパンツ」は幼児又は成人の着用者向けにデザインされた固定された側面と足部開口部を有する使い捨衣類を指す。トレーニングパンツ（当該技術分野において「プルオン」製品とも呼ばれる）は、着用者の足を足部開口部に挿入し、トレーニングパンツを着用者の胴体下部の周囲の位置へと滑らせることにより、着用者の上の適所に配置される。好適なトレーニングパンツは、１９９３年９月２１日ハッセ（Hasse）らに対して発行された米国特許第５，２４６、４３３号、１９９６年１０月２９日ブエル（Buell）らに対して発行された米国特許第５，５６９，２３４号、２０００年９月１９日アシュトン（Ashton）に対して発行された米国特許第６，１２０，４８７号、２０００年９月１９日ジョンソン（Johnson）らに対して発行された米国特許第６，１２０，４８９号、１９９０年７月１０日ヴァン  ゴンペル（Van Gompel）らに対して発行された米国特許第４，９４０，４６４号、及び１９９２年３月３日ノムラ（Nomura）らに対して発行された米国特許第５，０９２，８６１号に開示されており、そのそれぞれの開示を参考として本明細書に組み入れる。
【００３６】
又、おむつ２０は、カフ、前及び後耳パネル、ウエストキャップ機構、及び弾性部材などを含む当技術分野で既知のそのような他の機構を備えることができ、より良い適合性、封入性、及び美的特質を提供する。このような追加の機構は、当技術分野で周知であり、米国特許第３，８６０，００３号と第５，１５１，０９２号とに説明されており、これらを参考として本明細書に組み込む。
【００３７】
例えば、おむつ２０は、１９８９年２月２８日及び１９９０年３月２０日にアジズ（Aziz）らに対して発行された米国特許第４，８０８，１７８号及び同第４，９０９，８０３号にそれぞれ例示されているようなバリアカフ又は「スタンドアップ」伸縮性フラップを包含できる。
【００３８】
更に、おむつ２０は、米国特許第３，８６０，００３号に例示されているようなガスケットカフ又は「レッグカフ」伸縮性サイドフラップを包含できる。
【００３９】
第１及び第２カフは両方とも１９８７年９月２２日にロウソン（Lawson）及び１９８９年１月３日にドラグー（Dragoo）に対して発行された米国特許第４，６９５，２７８号及び同第４，７９５，４５４号にそれぞれ例示されているような二重カフの方式で提供されてよい。
【００４０】
図２は、図１の断面線２−２に沿った断片断面図であり、着用者に着ける前に成形されるようなおむつ２０（すなわち、おむつは弾性収縮を受ける）の股部区域３７におけるおむつ構造を表す。二重カフ３０は近位端３５、遠位端３９、及びその間に第１カフ４０及び第２カフ５０として識別される領域を有する。二重カフ３０は第１カフ４０及び第２カフ５０の弾性部材を実質的におおう連続的なカフ材料３３から構成されてよい。より具体的には、第１カフ４０は少なくとも一つの弾性部材（二つの弾性部材４２及び４４が示されているが）を有し、第２カフ５０も少なくとも一つの弾性部材（二つの弾性部材５２及び５４が示されているが）を有し、カフ材料３３内に封止される。このようにして、二重カフ３０を構成中に連続的なカフ材料３３のみが使用され操作される、こうして前記二重カフの製造はより容易になる。更に、実質的に弾性部材４２、４４、５２、及び５４をおおうため、カフ末端部結合６０により例示されるように、カフ材料３３は又単一場所で密閉／結合される必要があり、従って、潜在的な漏れ箇所の数を最小限にすることにより改良されたバリア特性を提供する。
【００４１】
明細書において、「連続的なカフ材料」は、二重カフ３０が実質的に同じか又は異なる二層の材料で構成されるようなカフ末端部結合から始まり、前記カフ材料に沿い、及び同じカフ末端部結合で終わる経路に沿って連続であるカフ材料を意味する。例えば、連続的なカフ材料３３は、低透水性材料内部に配置された高透水性材料（例えば、より高価であるメルトブロウン材料）を有する低透水性材料（例えば、廉価であるスパンボンド材料）から構成されてよい。別の実施例において、カフ材料３３はスパンボンドーメルトブロウン積層体から構成されてよい。更に別の実施例において、カフ材料３３は、それらが連続であるならば、一連の種々の材料で構成されてよい。その上更に別の実施例において、カフ材料３３はその疎水性を増すため処理されてよい。そのような疎水性処理には、疎水性の表面コーティングの利用（２００４年２月１１日に申請された「疎水性の表面がコーティングされた吸収性物品及び関連する方法（Hydrophobic Surface Coated Absorbent Articles And Associated Methods）」という名称の同時係属米国特許出願番号６０／５４３，７８５号において例示されたような）及びフルオロ処理（２００３年１１月７日に申請された「マスキングトップシートを有する使い捨て吸収性物品（Disposable Absorbent Articles With Masking Topsheet）」という名称の同時係属米国特許出願番号１０／７０３，２３９号で例示されたような）が含まれるが、それらに限定されない。更に他の実施例において、二重カフ３０は単結合（例えば、接着剤、超音波、例えば、トップシート２４への中間結合７０）を介しておむつに結合されるのが望ましいかもしれない。
【００４２】
弾性部材４２、４４、５２、５４は、前記カフ内に弾性取付け要素４６で弾性部材を固定することにより機能的にそれらそれぞれのカフと関連づけられてよい。弾性取付け要素４６は可撓性のはずで、充分に接着し、弾性部材４２、４４、５２、５４を伸びた状態に保持する。第一及び第二の末端部を有する弾性部材４２、４４、５２、５４は、それら末端部近傍にのみ又はそれら全長に沿ってそれらそれぞれのカフに固定されてよい。弾性取付け要素４６は、ウイスコンシン州エルムグローブ（Elmgrove）所在のファインドレイアドヒーシブ社（Findley Adhesives Incorporated）によりファインドレイ（Findley）接着剤５８１として市販されているようなホットメルト接着剤から作られた接着剤ビーズであってよい。あるいは、弾性取付け要素４６は超音波接着或いはヒート／圧シールの形態をとってよい。弾性取付け要素４６がそれらそれぞれのカフに配置され固定されてよい方法のより詳細な記載は、１９７８年３月２８日にブエル（Buell）に対して発行された米国特許第４，０８１，３０１号及び１９８１年３月３日にストリックランド（Strickland）及びヴィッシャー（Visscher）に対して発行された米国特許第４，２５３，４６１号において見出すことができ、その両方を本明細書において参考として組み込む。第１カフ４０内の弾性部材４２及び４４ならびに第２カフ４０内の弾性部材５２及び５４が示されたが、発明の精神及び範囲から逸脱することなく１以上の弾性部材が各カフにおいて使用されてよいことが当該技術分野における当業者には明らかであろう。
【００４３】
好適であることが見出された弾性部材４２、４４、５２、５４は、弾性ストランドで、０．１８ｍｍ×１．５ｍｍの横断面を有し、ヴァージニア州スチュワート（Stewart）所在のイーストハンプトンラバー社（Easthampton Rubber Company）からＬ−１９００ゴム化合物の商標のもとに入手可能である天然ゴムから作られている。他の好適な弾性部材は、ロードアイランド（R.I.）ミドルタウン（Middletown）所在のフルフレックス社（Fulflex Company）によりフルフレックス（Fulflex）９４１１の商標のもとに販売されている弾性テープなどの天然ゴムから作ることができる。又、弾性部材４２、４４、５２、５４には当該技術分野において周知であるすべての熱収縮性弾性材が含まれてよい。他の好適な弾性材には、エラストマーフィルム、ポリウレタンフィルム、エラストマー発泡体、形成された弾性スクリム及び合成エラストマー（例えば、Ｌｙｃｒａ（商標））を含む当該技術分野において周知のような多種多様な材料が含まれてよい。更に、弾性部材４２、４４、５２、５４は多くの形体を取ることができる。例えば、幅は変えることができ、弾性材の単一ストランド或いはいくつかの平行した又は平行していないストランドが使用でき、又は直線状及び曲線状を含むさまざまに形づくられたものを使用できる。
【００４４】
二重カフ３０は中間結合７０を介してトップシート２４に接合されてよい。中間結合７０は実質的におむつ２０の長手方向全長に延在してよい。中間結合７０は、接着剤、超音波接着、圧縮接着、熱接着、これらの組合せ、並びに使用される特定の材料に対して適切な当該技術分野で既知のあらゆる他の好適な接着手段であってよい。更に、不透液性特性を有する接着剤７６がトップシート２４とバックシート２６（又はこの明細書でより具体的に示されるバックシート内側層２７）の間に適用でき改良されたバリア特性を提供する。接着剤７６は中間結合７０に並置し配置されてよいが、接着剤７６が排出物の封入性を付与するのに役立つ限りにおいてでありその実際の位置は可変である。
【００４５】
図２で例示されたように、第２カフ５０は前記第２カフのよりよい順応性を着用者に提供するためバックシート２６に接合されなくてよい、このようにして、適合性と適用の容易さを改善する。更に、（ａ）おむつ２０を着ける、（ｂ）第２カフ５０をバックシート２６から離れて間隔を置いて配置する及び（ｃ）バックシート２６の長手方向縁部１４がカフ遠位端３９の中心から外れて延在する（距離５１で示されるように）とき、追加のバリア層が加えられたとかなりの消費者が思っていることがわかった。第２カフ５０は既に存在しているが、その存在は今ではよりはっきりし、消費者により多くの製品信用をうえつけている。更に、バックシート２６の長手方向縁部１４が前記第２カフ５０のカフ遠位端３９の中心から外れ延在するとき、前記バックシート２６が第２カフ５０の起こりうる汚れに対して視覚的バリアを提供することもわかった。最後に、かなりの消費者が、そのような製品構成を、より柔らかい、より快適な、使い捨ておむつを女性にマーケティングする際特に好ましいかもしれない外観において更に女性特有であると認識していることがわかった。
【００４６】
図３は図１の断面線３−３に沿った断片断面図で着用者に着ける前に成形されるようなおむつ２０（すなわち、おむつは弾性収縮を受ける）の第一腰部区域３６におけるおむつ構造を表す。第１カフ４０が置かれ（例えば、折り曲げられカフ折畳み８２をつくる）、着用者の腰部区域により容易に順応するようトップシート２４に接合される。第１カフ４０は、接着剤、超音波接着、圧縮接着、熱接着、これらの組合せ、及び使用される特定の材料に適切な、当該技術分野で既知のすべての他の好適な接着手段であってよいカフタックダウン結合（cuff tuckdown bond）８０によりトップシート２４に接合されてよい。 いくつかの実施形態において、第１カフ４０及び第２カフ５０の両方ともバリアカフであることが望ましいかもしれない。
【００４７】
更に、サイドパネル９０は第一及び第二の腰部区域３６及び３８内に及び長手方向縁部１４に隣接して設けられてよい。サイドパネル９０は、サイドパネル弾性部材９２とサイドパネルカバー９４を含み、サイドパネル弾性部材９２は前記サイドパネルカバー９４とバックシート２６との間に配置される。接着剤２３、或いは任意の他の好適な材料又は方法が使用され、これら構成成分同士を接合し、遠位端３９をカフする。
【００４８】
本発明の実施形態には、また、排泄物を受取り収容するためのポケット、排泄物のための空隙を提供するスペーサー品内での排泄物の移動を制限するためのバリア、おむつ２０内に堆積された排泄物質を受容し収容する隔室もしくは空隙など、又はこれらのあらゆる組み合わせが含まれてよい。吸収性のある製品に使用するポケット及びスペーサーの例が１９９６年５月７日にロー（Roe）らに対して発行された「排出性のスペーサーを有するおむつ（Diaper Having Expulsive Spacer）」という名称の米国特許第５，５１４，１２１号、１９９２年１２月１５日にドレイヤー（Dreier）らに対して発行された「コアスペーサーを有する使い捨て吸収性物品（Disposable Absorbent Article Having Core Spacers）」という名称の米国特許第５，１７１，２３６号、１９９５年３月１４日にドレイヤー（Dreier）に対して発行された「ポケットカフを有する吸収性物品（Absorbent Article Having A Pocket Cuff）」という名称の米国特許第５，３９７，３１８号、１９９６年７月３０日にドレイヤー（Dreier）に対して発行された「頂き部を備えたポケットカフを有する吸収性物品（Absorbent Article Having A Pocket Cuff With An Apex）」という名称の米国特許第５，５４０，６７１号、１９９３年１２月３日に公開の「衛生吸収性物品に使用するためのスペーサー及びそのようなスペーサーを有する使い捨て吸収性物品（Spacers For Use In Hygienic Absorbent Articles And Disposable Absorbent Articles Having Such Spacer）」という名称のＰＣＴ国際公開特許ＷＯ９３／２５，１７２、１９９４年４月２６日にフリーランド（Freeland）に対して発行された「使い捨て吸収性物品に使用する可撓性スペーサー（Flexible Spacers For Use In Disposable Absorbent Articles）」という名称の米国特許第５，３０６，２６６号、及び １９９９年１２月７日にアー（Ahr）らに対して発行された「選択的に拡張
又は膨張可能な構成成分を有する使い捨て吸収性物品（Disposable Absorbent Article With or Inflatable Component）」という名称の米国特許第５，９９７，５２０号に記載されている。区画又は空隙の例が１９９０年１１月６日にカーン（Khan）に対して発行された「使い捨て糞便区画おむつ（Disposable Fecal Compartmenting Diaper）」という名称の米国特許第４，９６８，３１２号、１９９１年２月５日にフリーランド（Freeland）に対して発行された「廃物隔離用弾性ライナーを有する吸収性物品（Absorbent Article With Elastic Liner For Waste Material Isolation）」という名称の米国特許第４，９９０，１４７号、１９９１年１１月５日にホルト（Holt）らに対して発行された「使い捨ておむつ」という名称の米国特許第５，０６２，８４０号、及び１９９３年１２月１４日にフリーランド（Freeland）らに対して発行された「使い捨て吸収性物品用３分割トップシート及びそのような３分割トップシートを有する使い捨て吸収性物品（Trisection Topsheets For Disposable Absorbent Articles And Disposable Absorbent Articles Having Such Trisection Topsheets）」という名称の米国特許第５，２６９，７５５号に開示されている。好適な横断方向バリアの例がドレイヤー（Dreier）らの名前で１９９６年９月１０日に発行された「複数の有効高さ横断方向隔壁を有する吸収性物品（Absorbent Article Having Multiple Effective Height Transverse Partition）」という名称の米国特許第５，５５４，１４２号、フリーランド（Freeland）らの名前で１９９４年７月７日に公開の「直立横断方向隔壁を有する吸収性物品（Absorbent Article Having An Upstanding Transverse Partition）」という名称のＰＣＴ国際公開特許ＷＯ９４／１４，３９５、及び１９９７年８月５日にロー（R
oe）らに対して発行された「角直立横断方向隔壁を有する吸収性物品（Absorbent Article Having Angular Upstanding Transverse Partition）」という名称の米国特許第５，６５３，７０３号に記載されている。低粘度糞便の管理に特に好適な他の構造体の例が１９９９年８月２４日にロー（Roe）らに対して発行された米国特許第５，９４１，８６４号、１９９９年１１月２日にロー（Roe）らに対して発行された米国特許第５，９７７，４３０号、及び２０００年１月１１日にロー（Roe）らに対して発行された米国特許第６，０１３，０６３号に公開されている。上記参考の全てをこれによって本明細書に参考として組み入れる。
【００４９】
更に、本発明は他のおむつの実施形態にも好適と考えられ、これらには、２０００年１月４日に発行された「粘性流体の排出物を処理する物品（Viscous Fluid Bodily Waste Management Article）」という名称の米国特許第６，０１０，４９１号；１９９９年２月２３日に発行された「シャーシと芯の改良によるおむつの適合と適合維持（Fit And Sustained Fit Of A Diaper Via Chassis And Core Modifications）」という名称の米国特許第５，８７３，８７０号；１９９９年４月２７日に発行された「コンバーチブル吸収性物品と共に使用するエラストマーサイドパネル（Elastomeric Side Panel for Use with Convertible Absorbent Articles）」という名称の米国特許第５，８９７，５４５号；１９９９年５月１８日に発行された「構造的に弾性様のフィルムウェブウエストベルトを備える吸収性物品（Absorbent Article With Structural Elastic-Like Film Web Waist Belt）」という名称の米国特許第５，９０４，６７３号；１９９９年８月３日に発行された「使い捨てプルオンパンツ（Disposable Pull On Pant）」という名称の米国特許第５，９３１，８２７号；１９９９年１１月２日に発行された「マクロ粒子貯蔵構造を備える吸収性用品（Absorbent Article With Macro-Particulate Storage Structure）」という名称の米国特許第５，９７７，４３０号；及び１９９９年１２月２１日に発行された「多方向延伸性サイドパネルを備える吸収性物品（Absorbent Article With Multi-Directional Extensible Side Panels）」という名称の米国特許第６，００４，３０６号；に開示されるものが挙げられ、これらの開示を参考として本明細書に組み込む。
【００５０】
引用される全ての文献は、その関連部分において参考として本明細書に組み込まれるが、いずれの文献の引用もそれが本発明に関連する先行技術であることの容認として解釈されるべきではない。
【００５１】
本発明の特定の実施形態が説明及び記載されてきたが、本発明の精神及び範囲から逸脱することなく他の様々な変更及び修正を行えることが当業者には明白であろう。したがって、本発明の範囲内にあるそのようなすべての変更及び修正を、添付の特許請求の範囲で扱うものとする。
【図面の簡単な説明】
【００５２】
【図１】下層構造を明らかにするため切欠部分を有する本発明の使い捨ておむつの実施形態の平面図。
【図２】図１の断面線２−２に沿った断片断面図。
【図３】図１の断面線３−３に沿った断片断面図。
【図１】
2007532254.tif 000003
【図２】
2007532254.tif 000004
【図３】
2007532254.tif 000005
【国際調査報告】
2007532254.tif 000006
2007532254.tif 000007
2007532254.tif 000008